(57)【要約】【課題】ネジ止めすることなく簡単に脱着可能で、清掃性に優れ、加熱した鍋、やかん等を傾くことなく置くことができ、調理機器等による熱影響によるワークトップの変形、変質又は損傷等を抑制する対面式キッチンに用いられる保護プレートを実現する。【解決手段】保護プレート１は、キッチン２のワークトップ１０上に設けられたバックガード１１の前面を保護するための保護部２０と、略水平で物品を載置することが可能な載置部１９とを一体的に備え、載置部１９の上面が調理機器１３の上面の高さと略同一に設定され、保護部２０の裏面側に取付けられる取付け部材２２を介して、壁面形成部材４に脱着可能な状態で取付けられる。【選択図】図２
2014018407.tif 000002
【特許請求の範囲】
【請求項１】
キッチンのワークトップ上面の後方に設けられた壁面形成部材の前面を保護するための保護部を備えた保護プレートであって、略水平で物品を載置することが可能な載置部を一体的に備えていることを特徴とする保護プレート。
【請求項２】
請求項１に記載の保護プレートであって、載置部の上面の高さが、キッチンに設置された調理機器の上面の高さと略同一に設定されていることを特徴とする保護プレート。
【請求項３】
請求項１または２に記載の保護プレートであって、保護部の裏面側に取付けられる取付け部材を介して、壁面形成部材に脱着可能な状態で取付けられることを特徴とする保護プレート。
【請求項４】
請求項３に記載の保護プレートであって、キッチンのワークトップの後端にはワークトップの上面よりも上方に頂面が突出したバックガードが形成されており、取付け部材の奥行き方向の寸法がバックガードの奥行き方向の寸法よりも大きく設定されていることを特徴とする保護プレート。
【請求項５】
請求項１から４のいずれかに記載の保護プレートであって、保護部が対面式のキッチンカウンターの前面を覆う状態であることを特徴とする保護プレート。
【請求項６】
請求項５に記載の保護プレートであって、保護部は、キッチンカウンターの下面を保護するための水平折り返し部をさらに備えていることを特徴とする保護プレート。
【発明の詳細な説明】
【技術分野】
【０００１】
本発明は、キッチンに用いられる保護プレートに関する。
【背景技術】
【０００２】
従来、キッチンにおいては、ガスコンロなどの調理機器よりも奥側の壁面形成部材の汚れや壁面形成部材への熱影響を抑制するためにカバーが設けられる場合がある。例えば、バックガードカバーを壁面に固定する構成が知られている（特許文献１〜３参照）。また、流し台の水の跳ね掛り予防カバーを磁石で脱着可能に取付ける構成が知られている（特許文献４参照）。
【先行技術文献】
【特許文献】
【０００３】
【特許文献１】特開平９−１１７３２９公報
【特許文献２】特開２００２−２０９６４９号公報
【特許文献３】特開２００７−８９８５１号公報
【特許文献４】特開２０１２−２０１０３号公報
【発明の概要】
【発明が解決しようとする課題】
【０００４】
上記特許文献１〜３に記載の従来例に示すように、バックガードカバーをネジ等で壁面に沿って固定する構成では、キッチンのワークトップ上面への汚れの付着を防止することができないという問題がある。
【０００５】
また、コンロの後のスペースを調理後の鍋置き等に使いたい場合があるが、調理機器の奥側には十分なスペースがないため、鍋を水平な状態で置くことができないだけでなく、調理後の鍋を直接置くことによって、ワークトップ上面への熱による変形、変質等の熱影響が生じ、従来例のバックガードでは、これらの問題を抑制することはできなかった。
【０００６】
本発明は上記従来の問題を解決することを目的とするものであり、次の点を課題とする。
（１）キッチンのワークトップ上面への汚れの付着を防止する。
（２）調理後等の鍋を直接置くことができ、鍋からの熱影響によるワークトップの変形、変質等の問題を解消する。
【課題を解決するための手段】
【０００７】
本発明は上記課題を解決するために、キッチンのワークトップ上面の後方に設けられた壁面形成部材の前面を保護するための保護部を備えた保護プレートであって、略水平で物品を載置することが可能な載置部を一体的に備えていることを特徴とする保護プレートを提供する。
【０００８】
載置部の上面の高さが、キッチンに設置された調理機器の上面の高さと略同一に設定されていることが好ましい。
【０００９】
保護部の裏面側に取付けられる取付け部材を介して、壁面形成部材に脱着可能な状態で取付けられることが好ましい。
【００１０】
キッチンのワークトップの後端にはワークトップの上面よりも上方に頂面が突出したバックガードが形成されており、取付け部材の奥行き方向の寸法がバックガードの奥行き方向の寸法よりも大きく設定されていることが好ましい。
【００１１】
保護部が対面式のキッチンカウンターの前面を覆う状態であることが好ましい。
【００１２】
保護部は、キッチンカウンターの下面を保護するための水平折り返し部をさらに備えていることが好ましい。
【発明の効果】
【００１３】
本発明によれば、キッチンのワークトップの上面への汚れの付着を防止することができる。また、調理後等の鍋を直接置くことができ、加熱した鍋を置いても、汚れが生じたりすることなく、また熱影響によるワークトップの変形、変質等を抑制することができる。
【図面の簡単な説明】
【００１４】
【図１】本発明に係る保護プレートの実施例１を取付けたキッチンの全体構成を示す斜視図である。
【図２】本発明に係る保護プレートの実施例１を説明する断面図であり、（ａ）は全体図であり、（ｂ）は作用を説明するための（ａ）の要部を示す図である。
【図３】本発明に係る保護プレートの実施例２を取付けたキッチンを説明する斜視図である。
【図４】本発明に係る保護プレートの実施例２を説明する断面図であり、（ａ）は全体図であり、（ｂ）は作用を説明するための（ａ）の要部を示す図である。
【図５】本発明に係る保護プレートの実施例３を説明する断面図であり、（ａ）は全体図であり、（ｂ）は（ａ）の要部を示す図である。
【発明を実施するための形態】
【００１５】
本発明に係る保護プレートを実施するための形態を実施例に基づき図面を参照して、以下説明する。なお、本明細書では、前後左右の方向は、キャビネットを正面から見た場合の前後方向（手前側を前方とし、奥側を後方とする）、左右方向とする。
【実施例】
【００１６】
（実施例１）
本発明に係る保護プレートの実施例１を図１〜図２において説明する。図１は、実施例１の保護プレート１が設けられたキッチン２の全体構成を示す図である。この実施例１のキッチン２は、図１、図２（ａ）に示すように、キャビネット３の後側に壁面形成部材４が設けられ、壁面形成部材４の頂部５にはカウンター６が載置された、キッチンカウンター７を備えた、対面式キッチンである。つまり、壁面形成部材４とカウンター６によってキッチンカウンター７が構成されている。
【００１７】
キャビネット３の上面にワークトップ（天板）１０が設けられている。ワークトップ１０の後端にはバックガード１１が間口方向（左右方向）に延びるように形成されている。バックガード１１は、その頂面１２がワークトップ１０の上面から上方に突出し、図２（ｂ）に示すように、奥行き方向（前後方向）に幅ｗを有するように形成されている。
【００１８】
ワークトップ１０には、コンロ、ＩＨ（電磁誘導加熱器）等の調理機器１３が設置されている。この実施例では、調理機器１３としてコンロを備えており、このコンロは、トッププレート１４と、加熱に際して鍋、やかん等の物品１６を載置する五徳１５を備えている。図２（ｂ）に示すように、調理機器１３の上面（調理機器１３のトッププレート１４の上面）は、ワークトップ１０の上面より、高さｈ１だけ高くなるように形成されている。
【００１９】
保護プレート１は、図２（ｂ）に示すように、載置部１９と保護部２０を一体的に備えており、耐熱性を有するステンレス等の金属板で、前後垂直方向の断面がＬ字型に形成されている。保護部を形成する金属板の表面が平滑面であれば、清掃性も優れる。  
【００２０】
この実施例では、保護プレート１は、図１に示すように、調理機器１３に対応してその後方のワークトップ１０の間口方向の一部の領域に配置されている。しかしながら、このような一部の領域だけでなく、さらにワークトップ１０の間口方向のより広い領域又は間口方向の全領域に設置してもよい。
【００２１】
載置部１９は、水平な部分であり、トッププレート１４の後側に隣接してワークトップ１０の上に載置される。載置部１９の下面には支持脚２１が形成され、この支持脚２１を含めて、載置部１９の上面の高さｈ２が、調理機器１３の上面の高さｈ１と略同一（例えば、略１０ｍｍ）になるように設定されている。調理器１３の上面全体が五徳１５で覆われるタイプのコンロにおいては、載置部１９の上面の高さを五徳１５の上面の高さと略同一となるように設定してもよい。
【００２２】
載置部１９は、鍋、やかん等の物品１６を略水平を載置することができる。特に、鍋、やかん等の物品１６を、調理機器１３の上面（トッププレート１４の上面）と跨って載置部１９に置いても、調理機器１３の上面の高さｈ１と載置部１９の上面の高さｈ２が略同一になるように設定されているので、傾くこともなく、略水平に保って置くことができる。
【００２３】
また、載置部１９は、支持脚２１によってのみワークトップ１０の上面と接触しているので、加熱した鍋、やかん等の物品１６を載置しても、ワークトップ１０を汚したり、熱によって変形、変質又は破損させるような悪影響を抑制することができる。載置部１９は鍋、やかん等を載置する役割だけでなく、ワークトップの上面を汚れや熱から保護する役割も果たす。
【００２４】
保護部２０は、載置部１９の後端から上方に垂直に起立した部分であり、バックガード１１、壁面形成部材４及びカウンター６の前面を覆い、これらを保護する部分である。保護部２０は、壁面形成部材４の前面に取付け部材２２を介して後面（裏面側）を取付ける。
【００２５】
図２（ｂ）に示すが、取付け部材２２の奥行き方向（前後方向）の寸法ｓは、バックガード１１の奥行き方向（前後方向）の幅ｗよりも大きく設定されている。このような寸法とすることで、保護プレート１を装着した際に、バックガード１１の前面で取付け位置が規制されないようになる。
【００２６】
取付け部材２２としては、本実施例では、壁面形成部材４の前面にマグネット２３を固定して取付け、このマグネット２３に保護部２０の後面（裏面側）を吸着保持させて、脱着可能に取付ける構成としている。脱着可能な構成とすることで、保護プレート１を簡単に取り外すことができ、ネジ止め式のものと比べて清掃性が向上する。
【００２７】
取付け部材２２としては、壁面形成部材４の前面及び保護部２０の後面に互いに係合することのできるフックを設ける構成等、壁面形成部材４に保護プレート１の保護部を脱着可能とする手段であれば、その他いずれの構成であってもよい。
【００２８】
（作用）
以上の構成から成る保護プレート１の作用を説明する。保護プレート１は、図２（ａ）、（ｂ）に示すように、バックガード１１、壁面形成部材４及びカウンター６の前面側に配置し、調理機器１３の後側のワークトップ１０上に載置し、取付け部材２２を介して取付ける。
【００２９】
調理機器１３又は調理機器１３で加熱された鍋、やかん等の物品１６から発生する熱、湯気等は、保護プレート１によって遮熱、遮断され、バックガード１１、壁面形成部材４及びカウンター６等への熱による変形、変質又は損傷等の悪影響は抑制される。
【００３０】
また、調理機器１３で加熱された鍋、やかん等の物品１６を、ワークトップ１０上に直接置くことなく、保護プレート１の載置部１９に置くことができる。この場合、鍋、やかん等の物品１６を、調理機器１３及び載置部１９に跨って載置しても、調理機器１３及び載置部１９の上面は面一に設定されているので、鍋、やかん等の物品１６は傾くことがなく、安定して置くことができる。
【００３１】
（実施例２）
本発明に係る保護プレートの実施例２を図３〜図４において説明する。この実施例２は、実施例１とほぼ同じ構成であるので、相違する構成を中心に説明する。実施例１と同じ構成の部分については、同じ符号を使用する。
【００３２】
図３は、実施例２の保護プレート３１が、設けられたキッチン３２の全体構成を示す図である。このキッチン３２は、キッチンカウンター３８を備えた対面式キッチンである。
【００３３】
この対面式キッチンは、図３、図４（ａ）に示すように、キャビネット３３の後側に壁面形成部材３４が設けられ、壁面形成部材３４の前面側に支持部材３５が固定して設けられており、支持部材３５の頂部３６にカウンター３７が載置されている。つまり、壁面形成部材３４と支持部材３５、カウンター３７によって、キッチンカウンター３８が構成されている。
【００３４】
実施例１のキッチン２に比べると、実施例２では、壁面形成部材３４はその奥行き方向の寸法（厚さ）が小さく、ワークトップ４０は、キャビネット３３の上部において、より後方に延びるように形成されている。
【００３５】
バックガード４１の上側であって、壁面形成部材３４の前面側に、アルミニウム等の材料で形成された支持部材３５がネジ止めされて固定されている。支持部材３５は、垂直部４５と水平部４６とから断面が略Γ型に形成されている。
【００３６】
壁面形成部材３４及び支持部材３５の水平部４６の上面にカウンター３７が載置され、ネジ止めされて取付けられている。壁面形成部材３４の後面には、化粧材４７が張り付けられている。
【００３７】
保護プレート３１は、実施例１と同様に、ステンレス等の耐熱材で形成され、載置部４９と保護部５０を有しており、支持部材３５及びカウンター３７の前面側に配置される。
【００３８】
載置部４９は、実施例１と同様に、ワークトップ４０の調理機器１３の後側の上面に、その支持脚５１を介して載置される水平な部分であるが、実施例１に比べて奥行きが大きく形成されている。従って、比較的大きな鍋、やかん等の物品５２も載置可能である。
【００３９】
保護部５０は、主に対面式のキッチンカウンター３８の前面、即ち、支持部材３５及びカウンター３７の前面を覆う部分である。保護部５０は、図４（ａ）、（ｂ）に示すように、載置部４９の後端から上方に垂直に起立された垂直起立部５５、その上端が前方に水平に折り返された水平折り返し部５６、さらにその前端が上方に垂直に起立された上部起立部５７を有し、前後垂直断面がクランク状に形成されている。
【００４０】
カウンター３７の前面に、保護プレート３１を取付ける取付け部材５８として、この実施例では、マグネット５９がカウンター３７に取付けられている。保護プレート３１を取付ける場合は、保護プレート３１を、その載置部４９をワークトップ４０上に載置してキッチンカウンター３８の前側に配置し、マグネット５９で保護プレート３１を吸着して取付ける。
【００４１】
なお、マグネット５９は、支持部材３５の前面に取付け、保護部５０の垂直起立部５５をマグネット５９に吸着させてもよい。また、取付け部材５８は、マグネット５９ではなくても、フック等、支持部材３５に保護プレート３１を脱着可能に取付けられる構成であれば、その他の取付け手段であってもよい。
【００４２】
また、保護プレート３１が、キッチンカウンター３８の前側に置いた場合に、構造的にバランスが良く、特に倒れることがない自立性を有する構成であれば、特に、取付け部材５８を介して保護プレート３１を取付ける必要もない。
【００４３】
保護部５０の垂直起立部５５は、バックガード４１及び支持部材３５の垂直部４５の前面側に位置し、該前面を覆って保護する。水平折り返し部５６は、支持部材３５の水平部４６とカウンター３７の下面の下側に位置し、これらを保護する。つまり、水平折り返し部５６はキッチンカウンター３８の下面を保護する。上部起立部５７は、支持部材３５の水平部４６とカウンター３７の前面側に位置し、これらを覆って保護する。
【００４４】
以上の構成の実施例２の保護プレート３１は、ワークトップ４０における調理機器１３の後方に、より広いスペースで載置部４９が形成されているので、この載置部４９に、比較的大きな鍋、やかん等の物品５２も載置可能である。
【００４５】
また、支持部材３５及びカウンター３７は、保護部５０でカバーされて保護されるので、載置部４９に置いた鍋、やかん等の物品５２から発生する熱や湯気等によって生じやすい変形、変質又は破損等の悪影響を抑制することができる。
【００４６】
（実施例３）
本発明に係る保護プレートの実施例３を図５において説明する。この実施例３は、実施例１とほぼ同じ構成であるので、実施例１と相違する構成についてのみ説明する。実施例１と同じ構成の部分については、同じ符号を使用する。
【００４７】
この実施例３は、キッチン１を構造壁（部屋の壁）に面して設置した構成であり、従って、キッチン１のワークトップ１０の後方に位置する壁面形成部材６１は、構造壁である。そして、構造壁である壁面形成部材６１の前面には、キッチンパネル部材６２が取付けられている。
【００４８】
この実施例３の保護プレート１は、実施例１と同じ構成であるが、その保護部２０は、キッチンパネル部材６２の前面を保護する機能を奏する。なお、キッチンパネル部材６２としては、いろいろな材料で形成された板材があるが、例えば、不燃化粧板やタイル製のパネル等も含まれる。
【００４９】
以上、本発明に係る保護プレートを実施するための最良の形態を実施例に基づいて説明したが、本発明はこのような実施例に限定されるものではなく、少なくとも特許請求の範囲に記載された技術的事項の範囲内でいろいろな実施例があることは言うまでもない。
【００５０】
なお、上記実施例１〜３では、バックガードが設けられたワークトップを有するキッチンについて説明したが、本発明に係る保護プレートは、その構成、及び後方に位置する部材をカバーして保護するという機能からすると、バックガードが設けられていないワークトップを有するキッチンについても、当然適用可能である。
【産業上の利用可能性】
【００５１】
本発明に係る保護プレートは上記のような構成であるから、ワークトップに加熱調理器を備えた、対面式キッチンを含む各種のキッチンに適用可能である。
【符号の説明】
【００５２】
１  保護プレート
２  キッチン
３  キャビネット
４  壁面形成部材
５  壁面形成部材の頂部
６  カウンター
７  キッチンカウンター
１０  ワークトップ（天板）
１１  バックガード
１２  バックガードの頂面
１３  調理機器
１４  トッププレート
１５  五徳
１６  鍋、やかん等の物品
１９  載置部
２０  保護部
２１  支持脚
２２  取付け部材
２３  マグネット
２７  壁面形成部材
３２  キッチン
３３  キャビネット
３４  壁面形成部材
３５  支持部材
３６  支持部材の頂部
３７  カウンター
３８  キッチンカウンター
４０  ワークトップ
４１  バックガード
４５  支持部材の垂直部
４６  支持部材の水平部
４７  化粧材
４９  載置部
５０  保護部
５１  支持脚
５２  鍋、やかん等の物品
５５  保護部の垂直起立部
５６  水平折り返し部
５７  上部起立部
５８  取付け部材
５９  マグネット
６１  壁面形成部材（構造壁）
６２  キッチンパネル部材
【図１】
2014018407.tif 000003
【図２】
2014018407.tif 000004
【図３】
2014018407.tif 000005
【図４】
2014018407.tif 000006
【図５】
2014018407.tif 000007